(57)【要約】      （修正有）【課題】車両に低電圧バッテリーを搭載せず、高電圧バッテリーのみを利用して車両に電力を供給する、車両の電源供給システム及びそれを制御する方法を提供する。【解決手段】車両の電源供給システムは、電源を貯蔵する高電圧バッテリー１０と、高電圧バッテリーと電装負荷３０との間に設けられたパワーリレー２０と、パワーリレーを介して高電圧バッテリーから電源の供給を受ける第１コンバータ７０と、パワーリレーをバイパスして高電圧バッテリーから直接電源の供給を受ける第２コンバータ８０と、第１コンバータ及び第２コンバータのうちの少なくとも一つから電源の供給を受ける電装負荷と、車両の始動状態に基づいてパワーリレー、第１コンバータまたは第２コンバータの作動を制御するコントローラとを含んでいる。【選択図】図２
2019162014.tif 000002
【特許請求の範囲】
【請求項１】
電源を貯蔵する高電圧バッテリーと、
前記高電圧バッテリーと電装負荷との間に設けられたパワーリレーと、
前記パワーリレーを介して前記高電圧バッテリーから電源の供給を受ける第１コンバータと、
前記パワーリレーをバイパスして前記高電圧バッテリーから直接電源の供給を受ける第２コンバータと、
前記第１コンバータ及び前記第２コンバータのうちの少なくとも一つから電源の供給を受ける電装負荷と、
車両の始動状態に基づいて前記パワーリレー、前記第１コンバータまたは前記第２コンバータの作動を制御するコントローラとを含んでなる、車両の電源供給システム。
【請求項２】
前記パワーリレーと前記第１コンバータとの間から分岐して前記パワーリレーを介して前記高電圧バッテリーから電源の供給を受けるモーターをさらに含むことを特徴とする、請求項１に記載の車両の電源供給システム。
【請求項３】
前記第１コンバータの電力変換容量は前記第２コンバータの電力変換容量よりも大きいことを特徴とする、請求項１に記載の車両の電源供給システム。
【請求項４】
前記コントローラは、車両の始動がオン状態である場合には、前記パワーリレーを接続して前記高電圧バッテリーの電源が前記第１コンバータへ供給されるように制御することを特徴とする、請求項１に記載の車両の電源供給システム。
【請求項５】
前記コントローラは、前記パワーリレーが接続された状態で前記第１コンバータの故障が感知された場合、前記第１コンバータの作動を停止するように制御することを特徴とする、請求項４に記載の車両の電源供給システム。
【請求項６】
前記コントローラは、車両の始動がオフ状態である場合には、前記パワーリレーの接続を遮断して、前記第１コンバータへ供給される前記高電圧バッテリーの電源を遮断するように制御することを特徴とする、請求項１に記載の車両の電源供給システム。
【請求項７】
前記第２コンバータと前記電装負荷との間に位置し、前記第２コンバータから供給する電源を貯蔵する電源貯蔵装置をさらに含むことを特徴とする、請求項１に記載の車両の電源供給システム。
【請求項８】
前記コントローラは、車両の始動がオフ状態である場合には、前記電源貯蔵装置の充電状態に基づいて前記第２コンバータの作動を制御することを特徴とする、請求項７に記載の車両の電源供給システム。
【請求項９】
前記第２コンバータと前記電装負荷との間に位置し、前記第２コンバータから前記電装負荷へ供給する電源を接続または遮断する補助リレーをさらに含むことを特徴とする、請求項１に記載の車両の電源供給システム。
【請求項１０】
前記コントローラは、車両の始動がオフ状態である場合には、前記高電圧バッテリーの放電可能性を判断し、判断した放電可能性に基づいて前記補助リレーの作動を制御することを特徴とする、請求項９に記載の車両の電源供給システム。
【請求項１１】
前記補助リレーは、車両の手動キーが回転することにより接続され、前記第２コンバータから前記電装負荷へ供給する電源を接続することを特徴とする、請求項９に記載の車両の電源供給システム。
【請求項１２】
請求項１に記載の電源供給システムを制御する方法であって、
コントローラが車両の始動状態を判断する段階と、
車両の始動がオン状態である場合には、前記コントローラがパワーリレーを接続して高電圧バッテリーの電源が第１コンバータへ供給されるように制御し、車両の始動がオフ状態である場合には、前記コントローラが前記パワーリレーを遮断して前記高電圧バッテリーの電源が前記第１コンバータへ供給されないように制御する段階とを含んでなる、車両の電源供給システムの制御方法。
【請求項１３】
前記コントローラが前記パワーリレーを接続または遮断する段階の後に、前記パワーリレーが接続された場合、前記コントローラが前記第１コンバータの故障を感知する段階と、
前記第１コンバータが故障した場合には、前記コントローラが前記第１コンバータの作動を停止するように制御する段階とをさらに含むことを特徴とする、請求項１２に記載の車両の電源供給システムの制御方法。
【請求項１４】
前記コントローラが前記パワーリレーを接続または遮断する段階では、前記コントローラは、車両の始動状態に関係なく、第２コンバータを作動し続けるように制御することを特徴とする、請求項１２に記載の車両の電源供給システムの制御方法。
【請求項１５】
請求項７に記載の電源供給システムを制御する方法であって、
コントローラが車両の始動状態を判断する段階と、
車両の始動がオン状態である場合には、前記コントローラがパワーリレーを接続して高電圧バッテリーの電源が第１コンバータへ供給されるように制御し、車両の始動がオフ状態である場合には、前記コントローラが前記パワーリレーを遮断して前記高電圧バッテリーの電源が前記第１コンバータへ供給されないように制御する段階と、
車両の始動がオフ状態である場合には、前記コントローラは電源貯蔵装置の充電状態を感知し、感知した充電状態に基づいて第２コンバータの作動を制御する段階とを含んでなる、車両の電源供給システムの制御方法。
【発明の詳細な説明】
【技術分野】
【０００１】
本発明は、車両の電源供給システム及びそれを制御する方法に係り、具体的には、低電圧バッテリーを取り除き、高電圧バッテリーの電源を用いて車両の電源を供給するシステム及びこれを制御する方法に関する。
【背景技術】
【０００２】
今日、化石燃料を燃料として用いる内燃機関自動車は、排気ガスによる環境汚染、二酸化炭素による地球温暖化、オゾン生成などによる呼吸器疾患誘発などの問題点を有する。
【０００３】
かかる問題点を解決するために、電気モーターで走行する純粋な電気自動車（ＥＶ）、エンジンと電気モーターで走行するハイブリッド車（ＨＥＶ）、燃料電池を利用した発電によって電気モーターを駆動させて走行する燃料電池車（ＦＣＥＶ）などの様々なエコカーの開発が盛んに行われている。
【０００４】
特に、このようなエコカーには、電源変換装置などを含む電源供給システムが搭載される。図１は従来技術に係る電源供給システムの構成図である。図１を参照すると、従来技術に係る電源供給システムは、高電圧バッテリー１０と低電圧バッテリー５０（１２Ｖ  ＢＡＴ）を別途含む。
【０００５】
低電圧バッテリー５０（１２Ｖ  ＢＡＴ）は、車両の始動オフ（Ｏｆｆ）状態で電装負荷３０に電源を供給し、車両の始動がオン（Ｏｎ）になるとき、コントローラ（図示せず）がパワーリレー２０（ＰＲＡ）をオンにするようにコントローラ（図示せず）へ電源を供給することにより、高電圧バッテリー１０の電源がモーター６０に供給されるようにする。モーター６０は、パワーリレー２０（ＰＲＡ）がオンになることにより、高電圧バッテリー１０の電源の供給を受けてエンジン６１をクランキングする。
【０００６】
車両の始動オン（Ｏｎ）状態では、高電圧バッテリー１０の電源がコンバータ４０（ＬＤＣ）の電源変換を経て電装負荷３０に供給される。つまり、車両の始動オン状態では高電圧バッテリー１０の電源が電装負荷３０に供給されるが、車両の始動オフ（Ｏｆｆ）状態では低電圧バッテリー５０の電源が電装負荷３０に供給される。
【０００７】
したがって、エコカーでは、高電圧（６０Ｖ以上）の電源を供給する高電圧バッテリー１０、及び低電圧（１２Ｖ）の電源を供給する低電圧バッテリー５０の２つのバッテリーを併用する。また、低電圧バッテリー５０の充電量が足りない場合には、高電圧バッテリー１０の電源をコンバータ４０（ＬＤＣ）を介して電圧変換して低電圧バッテリー５０を充電させる。
【０００８】
但し、車両に高電圧バッテリー以外にさらに低電圧バッテリーが搭載されなければならないことにより、追加の費用及びスペースを必要とした。また、車両の始動オフ状態で低電圧バッテリーが放電する場合には、外部の電源を供給しなくては車両の始動が不可能であるという問題点があった。
【０００９】
前述の背景技術として説明された事項は、本発明の背景に対する理解増進のためのものに過ぎず、当該技術分野における通常の知識を有する者に既に知られている従来技術に該当することを認めるものと受け入れられてはならない。
【先行技術文献】
【特許文献】
【００１０】
【特許文献１】韓国特許登録第１０−１５０００８０号明細書
【発明の概要】
【発明が解決しようとする課題】
【００１１】
本発明は、かかる問題点を解決するためになされたもので、その目的は、車両に低電圧バッテリーを搭載せず、高電圧バッテリーのみを利用して車両に電源を供給する、車両の電源供給システム及びそれを制御する方法を提供することにある。
【課題を解決するための手段】
【００１２】
上記の目的を達成するための本発明のある観点によれば、電源を貯蔵する高電圧バッテリーと、高電圧バッテリーと電装負荷との間に設けられたパワーリレーと、パワーリレーを介して高電圧バッテリーから電源の供給を受ける第１コンバータと、パワーリレーをバイパスして高電圧バッテリーから直接電源の供給を受ける第２コンバータと、第１コンバータ及び第２コンバータのうちの少なくとも一つから電源の供給を受ける電装負荷と、車両の始動状態に基づいてパワーリレー、第１コンバータまたは第２コンバータの作動を制御するコントローラとを含んでなる、車両の電源供給システムを提供する。
【００１３】
パワーリレーと第１コンバータとの間から分岐してパワーリレーを介して高電圧バッテリーから電源の供給を受けるモーターをさらに含むことができる。
【００１４】
第１コンバータの電力変換容量は第２コンバータの電力変換容量より大きくてもよい。
【００１５】
コントローラは、車両の始動がオン状態である場合には、パワーリレーを接続して高電圧バッテリーの電源が第１コンバータへ供給されるように制御することができる。
【００１６】
コントローラは、パワーリレーが接続された状態で第１コンバータの故障が感知された場合には、第１コンバータの作動を停止するように制御することができる。
【００１７】
コントローラは、車両の始動がオフ状態である場合には、パワーリレーの接続を遮断して、第１コンバータへ供給される高電圧バッテリーの電源を遮断するように制御することができる。
【００１８】
第２コンバータと電装負荷との間に位置し、第２コンバータから供給する電源を貯蔵する電源貯蔵装置をさらに含むことができる。
【００１９】
コントローラは、車両の始動がオフ状態である場合には、電源貯蔵装置の充電状態に基づいて第２コンバータの作動を制御することができる。
【００２０】
第２コンバータと電装負荷との間に位置し、第２コンバータから電装負荷へ供給する電源を接続または遮断する補助リレーをさらに含むことができる。
【００２１】
コントローラは、車両の始動がオフ状態である場合には、高電圧バッテリーの放電可能性を判断し、判断した放電可能性に基づいて補助リレーの作動を制御することができる。
【００２２】
補助リレーは、車両の手動キーが回転することにより接続され、第２コンバータから電装負荷へ供給する電源を接続することができる。
【００２３】
上記の目的を達成するための本発明の他の観点によれば、コントローラが車両の始動状態を判断する段階と、車両の始動がオン状態である場合には、コントローラがパワーリレーを接続して高電圧バッテリーの電源が第１コンバータへ供給されるように制御し、車両の始動がオフ状態である場合には、コントローラがパワーリレーを遮断して高電圧バッテリーの電源が第１コンバータへ供給されないように制御する段階とを含んでなる、車両の電源供給システムの制御方法を提供する。
【００２４】
コントローラがパワーリレーを接続または遮断する段階の後に、パワーリレーが接続された場合には、コントローラが第１コンバータの故障を感知する段階と、第１コンバータが故障した場合には、コントローラが第１コンバータの作動を停止するように制御する段階とをさらに含むことができる。
【００２５】
コントローラがパワーリレーを接続または遮断する段階では、コントローラは、車両の始動状態に関係なく、第２コンバータを作動し続けるように制御することができる。
【００２６】
上記の目的を達成するための本発明の別の観点によれば、コントローラが車両の始動状態を判断する段階と、車両の始動がオン状態である場合には、コントローラがパワーリレーを接続して高電圧バッテリーの電源が第１コンバータへ供給されるように制御し、車両の始動がオフ状態である場合には、コントローラがパワーリレーを遮断して高電圧バッテリーの電源が第１コンバータへ供給されないように制御する段階と、車両の始動がオフ状態である場合には、コントローラは電源貯蔵装置の充電状態を感知し、感知した充電状態に基づいて第２コンバータの作動を制御する段階とを含んでなる、車両の電源供給システムの制御方法を提供する。
【発明の効果】
【００２７】
本発明の車両の電源供給システム及びその制御方法によれば、低電圧バッテリーの構成を含まないことにより、原価及び車両の重量が減少するという効果を持つ。
【００２８】
また、本発明によれば、電装負荷の必要電力に応じて第１コンバータと第２コンバータを選択して使用することができるため、全体的な電源供給システムのコンバート効率が向上するという効果を持つ。
【００２９】
また、本発明によれば、第１コンバータの故障の際に、第２コンバータを利用したフェイルセーフ（Ｆａｉｌ−Ｓａｆｅ）制御が可能であるという効果を持つ。
【００３０】
また、本発明によれば、電力貯蔵装置の追加によって第２コンバータが間欠的に動作して第２コンバータの発熱電力及び損失電力を最小化するという効果を持つ。
【００３１】
また、本発明によれば、補助リレーの追加によって、暗電流により高電圧バッテリーが放電する状況を防止することができるという効果を持つ。
【図面の簡単な説明】
【００３２】
【図１】従来技術に係る車両の電源供給システムの構成図である。
【図２】本発明の一実施形態に係る車両の電源供給システムの構成図である。
【図３】本発明の一実施形態に係る車両の電源供給システムの構成図である。
【図４】本発明の一実施形態に係る車両の電源供給システムの構成図である。
【図５】本発明の一実施形態に係る車両の電源供給システムの制御方法のフローチャートである。
【発明を実施するための形態】
【００３３】
本明細書または出願に開示されている本発明の実施態様についての特定の構造的または機能的説明は、単に本発明に係る実施態様を説明するために例示されたものに過ぎない。本発明に係る実施態様は、様々な形態で実施でき、本明細書または出願に説明された実施態様に限定されるものではない。
【００３４】
本発明に係る実施態様は、多様な変更を加えることができ、種々の形態を有することができるので、特定の実施態様を図面に例示して本明細書または出願に詳細に説明する。しかし、これは本発明の概念による実施様態を特定の開示形態に限定しようとするものではなく、本発明の思想及び技術範囲に含まれるすべての変更、均等物または代替物を含むと理解されるべきである。
【００３５】
本明細書において、「第１」及び／又は「第２」などの用語は多様な構成要素の説明に使用できるが、これらの構成要素はこれらの用語によって限定されてはならない。前記用語は一つの構成要素を他の構成要素から区別する目的のみで使われる。例えば、本発明の概念による権利範囲から逸脱することなく、第１構成要素は第２構成要素と命名でき、同様に第２構成要素も第１構成要素と命名できる。
【００３６】
ある構成要素が他の構成要素に「連結されて」いる或いは「接続されて」いると言及された場合には、該他の構成要素に直接連結または接続されていることもあるが、それらの間に別の構成要素が介在することもあると理解されるべきである。一方、ある構成要素が他の構成要素に「直接連結されて」いる或いは「直接接続されて」いると言及された場合には、それらの間に別の構成要素が介在しないと理解されるべきである。構成要素間の関係を説明する他の表現、すなわち「〜間に」と「すぐに〜間に」または「〜に隣り合う」と「〜に直接隣り合う」等も同様に解釈されるべきである。
【００３７】
本明細書で使用した用語は、単に特定の実施態様を説明するためのもので、本発明を限定するものではない。単数の表現は、文脈上明白に異なる意味ではない限り、複数の表現を含む。本明細書において、「含む」または「有する」などの用語は、説示された特徴、数字、段階、動作、構成要素、部分品またはこれらの組み合わせが存在することを指定しようとするもので、一つまたはそれ以上の他の特徴や数字、段階、動作、構成要素、部分品またはこれらの組み合わせの存在または付加の可能性を予め排除しないものと理解されるべきである。
【００３８】
また、別に定義しない限り、技術的或いは科学的用語を含んで、ここで使用される全ての用語は、本発明の属する技術分野における通常の知識を有する者であれば一般に理解されるのと同一の意味を有する。 一般に使用される辞典に定義されているような用語は、関連技術の文脈上において有する意味と一致する意味であると解釈されるべきであり、本明細書において明白に定義しない限りは、理想的または過度に形式的な意味で解釈されない。
【００３９】
以下、添付図面を参照して本発明の好適な実施形態を説明することにより本発明を詳細に説明する。各図面に提示された同一の参照符号は同一の部材を示す。
【００４０】
図２は本発明の一実施形態に係る車両の電源供給システムの構成図である。
【００４１】
図２を参照すると、本発明の一実施形態に係る車両の電源供給システムは、電源を貯蔵する高電圧バッテリー１０と、高電圧バッテリー１０と電装負荷３０との間に設けられたパワーリレー２０と、パワーリレー２０を介して高電圧バッテリー１０から電源の供給を受ける第１コンバータ７０と、パワーリレー２０をバイパスして高電圧バッテリー１０から直接電源の供給を受ける第２コンバータ８０と、第１コンバータ７０及び第２コンバータ８０のうちの少なくとも一つから電源の供給を受ける電装負荷３０と、車両の始動状態に基づいてパワーリレー２０、第１コンバータ７０または第２コンバータ８０の作動を制御するコントローラ９０とを含んでなる。
【００４２】
高電圧バッテリー１０は、充電された電源を貯蔵するバッテリーであって、６０Ｖ以上の高電圧を供給することができる。高電圧バッテリー１０は電装負荷３０に接続できる。電装負荷３０は第１コンバータ７０及び第２コンバータ８０のうちの少なくとも一つから電源供給を受けることができる。
【００４３】
パワーリレー２０（ＰＲＡ、Ｐｏｗｅｒ  Ｒｅｌａｙ  Ａｓｓｅｍｂｌｙ）は、車両の始動状態に応じて制御されるリレーであって、車両の始動オフ状態ではオフになった状態に維持され、車両の始動をオンにするときに接続されるリレーである。車両の始動のためにパワーリレー２０をオンにする制御装置（図示せず）が電装負荷３０に含まれ得る。制御装置（図示せず）は、別途に電装負荷３０に接続され、車両の始動オフ状態で第２コンバータ８０から供給を受けた電源でパワーリレー２０をオンにすることができる。
【００４４】
電装負荷３０は、約１２Ｖの低電圧電源で作動することができる。このために、高電圧バッテリー１０から供給された電源が第１コンバータ７０または第２コンバータ８０を介して低電圧に変換（Ｃｏｎｖｅｒｔｉｎｇ）されて電装負荷３０へ供給できる。
【００４５】
第１コンバータ７０は、パワーリレー２０を介して高電圧バッテリーから電源の供給を受け、電装負荷３０へ電源を供給することができる。第２コンバータ８０は、パワーリレー２０をバイパスして高電圧バッテリー１０から直接電源の供給を受け、電装負荷３０へ電源を供給することができる。すなわち、第２コンバータ８０は常時動作し、第１コンバータ７０はパワーリレー２０がオンになった場合にのみ動作することができる。よって、低電圧バッテリーの構成を含まない車両の電源供給システムであって、低電圧バッテリーの構成を取り除くことにより原価及び重量を減少させながら、低電圧の電源を要求する電装負荷３０へ電源を供給することができるという効果を持つ。
【００４６】
第１コンバータ７０の電力変換容量は第２コンバータ８０の電力変換容量よりも大きいことができる。すなわち、第１コンバータ７０は、車両の始動オン状態で電装負荷３０に十分な電力を供給するためにキロワット（ｋＷ）級の大きな電力変換容量を持つことができ、車両の始動オフ状態では相対的に低い電力が必要なので、第２コンバータ８０は、始動オフ状態の暗電流及び待機電力を供給するためのワット（Ｗ）級の小さな電力変換容量を持つことができる。第２コンバータ８０は、相対的に少ない電力変換容量及び低コストのコンバータを用いることができる。
【００４７】
一般に、コンバータは、低電流領域で低いコンバート効率を持つ。よって、電装負荷３０に多量の電源が必要な始動オン状態では第１コンバータ７０を用いて電源を供給し、電装負荷３０に少量の電源が必要な始動オフ状態では第２コンバータ８０を用いて電源を供給する構成によって、全体システムのコンバート効率を高めることができるという効果を持つ。
【００４８】
また、第１コンバータ７０と第２コンバータ８０は、別個に分割された２つのコンバータからなるものに限定されるのではなく、一つのハウジング内部で回路的にのみ分割されて形成できる。特に、一つのハウジングを有するコンバータを複数の回路に分割し、電装負荷３０の必要電力量に応じて、分割した複数の回路の中から作動させる回路を選択することができる。つまり、必要電力量が多いほど多くの回路を作動させて大きな電力変換容量を耐えるようにすることができ、必要電力量が少ないほど少ない数の回路を作動させてコンバート効率を高めることができる。
【００４９】
パワーリレー２０と第１コンバータ７０との間から分岐してパワーリレー２０を介して高電圧バッテリー１０から電力の供給を受けるモーター６０をさらに含むことができる。モーター６０は、パワーリレー２０がオンになった場合、高電圧バッテリー１０の電力供給を受けることができる。モーター６０とパワーリレー２０との間にはインバータがさらに含まれ得る。モーター６０は、電気モーター６０であって、車両を駆動することができ、車両の始動の際にエンジン６１をクランキング（Ｃｒａｎｋｉｎｇ）することができる。
【００５０】
コントローラ９０は、バッテリー管理システム（ＢＭＳ：Ｂａｔｔｅｒｙ  Ｍａｎａｇｅｍｅｎｔ  Ｓｙｓｔｅｍ）またはエネルギー管理システム（ＥＭＳ：Ｅｎｅｒｇｙ  Ｍａｎａｇｅｍｅｎｔ  Ｓｙｓｔｅｍ）に含まれているコントローラ９０であってもよく、上位コントローラ９０であるＥＣＵ（Ｅｌｅｃｔｒｏｎｉｃ  Ｃｏｎｔｒｏｌ  Ｕｎｉｔ）などであってもよい。
【００５１】
コントローラ９０は、車両の始動状態に基づいてパワーリレー２０、第１コンバータ７０または第２コンバータ８０の作動を制御することができる。具体的には、コントローラ９０は、車両の始動がオン状態である場合には、パワーリレー２０を接続して高電圧バッテリー１０の電力が第１コンバータ７０へ供給されるように制御することができる。逆に、コントローラ９０は、車両の始動がオフ状態である場合には、パワーリレー２０の接続を遮断して、第１コンバータ７０へ供給される高電圧バッテリー１０の電力を遮断するように制御することができる。
【００５２】
コントローラ９０は、第２コンバータ８０が常に作動するように制御することができる。すなわち、車両の始動オン／オフに関係なく引き続き作動させることができる。または、コントローラ９０は、第２コンバータ８０を車両の始動オフ時にのみ作動させ、車両の始動がオン状態である場合には、第１コンバータ７０が作動するので第２コンバータ８０の作動を停止するように制御することができる。
【００５３】
コントローラ９０は、第１コンバータ７０も常に作動するように制御することができる。または、コントローラ９０は、第１コンバータ７０をパワーリレー２０と一緒に制御して、パワーリレー２０が接続されるときに第１コンバータ７０を作動させ、パワーリレー２０の接続を遮断するときに第１コンバータの作動を停止するように制御することができる。
【００５４】
コントローラ９０は、パワーリレー２０が接続された状態で第１コンバータ７０の故障が感知された場合には、第１コンバータ７０の作動を停止するように制御することができる。第１コンバータ７０の電力変換が正常でないか、危険なレベルの発熱が発生するなど、第１コンバータ７０を作動させるには問題があると判断される場合には、第１コンバータ７０が故障したと判断して第１コンバータ７０の作動を停止することができる。この場合、第１コンバータ７０の作動を停止すると、第２コンバータ８０を用いて電装負荷に最小限の電源を供給して車両を安全な場所まで移動させることができるように制御することができる。したがって、第１コンバータ７０の故障の際に、第２コンバータ８０を用いたフェイルセーフ（Ｆａｉｌ−Ｓａｆｅ）制御が可能であるという効果を持つ。
【００５５】
図３は本発明の他の実施形態に係る車両の電源供給システムの構成図である。
【００５６】
図３を参照すると、本発明の他の実施形態に係る車両の電源供給システムは、第２コンバータ８０と電装負荷３０との間に位置し、第２コンバータ８０から供給する電力を貯蔵する電力貯蔵装置８１をさらに含むことができる。
【００５７】
電力貯蔵装置８１は、キャパシタ（Ｃａｐａｃｉｔｏｒ）、スーパーキャパシタ（Ｓｕｐｅｒ  Ｃａｐａｃｉｔｏｒ）または電気二重層キャパシタ（ＥＤＬＣ：Ｅｌｅｃｔｒｉｃａｌ  Ｄｏｕｂｌｅ  Ｌａｙｅｒ  Ｃａｐａｃｉｔｏｒ）などの電気エネルギーを貯蔵することができる装置であり得る。電力貯蔵装置８１は、第２コンバータ８０から供給する電力を貯蔵することができ、第２コンバータ８０の作動が停止すると、放電しながら電装負荷３０に電力を供給することができる。電力貯蔵装置８１は、従来の低電圧バッテリーよりも充電容量が少なく、価格が安い。このような構成により、第２コンバータ８０の作動が停止した状態で電装負荷３０に電力を供給することができる。
【００５８】
特に、コントローラ９０は、車両の始動がオフ状態である場合、電力貯蔵装置８１の充電状態に基づいて第２コンバータ８０の作動を制御することができる。電力貯蔵装置８１は、少量のエネルギーを貯蔵するものなので、車両の始動オフ状態で電装負荷３０が暗電流（１０ｍＡ）のみを必要とする場合に電力貯蔵装置８１が放電しながら電装負荷３０に電源を供給することができる。
【００５９】
このとき、コントローラ９０は、電力貯蔵装置８１の充電状態を監視し、監視した電力貯蔵装置８１の充電状態に基づいて第２コンバータ８０を制御することができる。具体的には、電力貯蔵装置８１の充電装置が所定の充電量を超える場合には、第２コンバータ８０の動作を停止することができ、電力貯蔵装置８１の充電状態が所定の充電量以下である場合にのみ、第２コンバータ８０を動作させて電力貯蔵装置８１を充電することができる。これにより、第２コンバータ８０が間欠的に動作することにより、第２コンバータ８０内のスイッチングによる発熱及び損失電力を最小化することができるという効果を持つ。
【００６０】
図４は本発明の別の実施形態に係る車両の電源供給システムの構成図である。
【００６１】
図４を参照すると、本発明の別の実施形態に係る車両の電源供給システムは、第２コンバータ８０と電装負荷３０との間に位置し、第２コンバータ８０から電装負荷３０へ供給する電力を接続または遮断する補助リレー８２をさらに含むことができる。
【００６２】
車両の始動オフ状態が長時間維持されるなど、暗電流が過多に消費される場合には、高電圧バッテリー１０が放電するおそれがあるという問題が発生しうる。このため、補助リレー８２は、第２コンバータ８０から電装負荷３０へ供給する電力を接続または遮断することができる。補助リレー８２は、第２コンバータ８０の内部に含まれて電装負荷３０への電源供給を遮断することができる。
【００６３】
特に、コントローラ９０は、車両の始動がオフ状態である場合には、高電圧バッテリー１０の放電可能性を判断し、判断した放電可能性に基づいて補助リレー８２の作動を制御することができる。高電圧バッテリー１０の放電可能性は、車両の始動オフ維持時間が所定の時間以上であるか否かによって判断するか、或いは高電圧バッテリー１０の充電量（ＳＯＣ）を監視し、監視した高電圧バッテリー１０の充電量によって判断することができる。
【００６４】
コントローラ９０は、高電圧バッテリー１０の放電可能性が高いと判断されると、補助リレー８２が第２コンバータ８０から電装負荷３０へ供給する電力を遮断するように制御することができる。これにより、暗電流により高電圧バッテリー１０が放電する状況を回避することができるという効果を持つ。
【００６５】
また、補助リレー８２は、車両の手動キーが回転することにより接続され、第２コンバータ８０から電装負荷３０へ供給する電力を接続することができる。具体的には、車両の手動キーにはピニオンギアが形成され、ピニオンギアの回転運動によって直線運動するラックギアをピニオンギアに接続することができ、ラックギアの直線運動によって補助リレー８２を接続することができる。補助リレー８２は、ラッチタイプであって、ラックギアの直線運動によって接続されると、ラックギアが再び元の位置に戻っても、接続された状態を維持することができる。
【００６６】
つまり、補助リレー８２は、車両の手動キーが回転することにより接続され、これにより、第２コンバータ８０から電装負荷３０へ供給する電力を接続することができる。車両の手動キーは、車両の運転席ドア（Ｄｏｏｒ）のロックを解除するキーホルダーであるか、或いは始動のためのキーホルダーである。
【００６７】
高電圧バッテリー１０の放電可能性の判断によって補助リレー８２が遮断された場合には、電装負荷３０は電源の供給を受けないもので、車両を始動させることができない。よって、運転者が車両に進入するための手動キーの回転動作のみで車両の始動ができるように電装負荷３０に低電圧電源を供給する効果を持つ。
【００６８】
図５は本発明の一実施形態に係る車両の電源供給システムの制御方法のフローチャートである。
【００６９】
図５を再び参照すると、本発明の一実施形態に係る車両の電源供給システムの制御方法は、コントローラ９０が車両の始動状態を判断する段階（Ｓ１００）と、車両の始動がオン状態である場合には、コントローラ９０がパワーリレー２０を接続して、高電圧バッテリー１０の電力が第１コンバータ７０へ供給されるように制御し、車両の始動がオフ状態である場合には、コントローラ９０がパワーリレー２０を遮断して、高電圧バッテリー１０の電力が第１コンバータ７０へ供給されないように制御する段階（Ｓ２００）とを含むことができる。
【００７０】
コントローラ９０がパワーリレー２０を接続または遮断する段階は、具体的には、車両の始動がオン状態である場合には、コントローラ９０がパワーリレー２０を接続し（Ｓ２１０）、車両の始動がオフ状態である場合には、コントローラ９０がパワーリレー２０を遮断（Ｓ２２０）するように制御することができる。
【００７１】
コントローラ９０がパワーリレー２０を接続または遮断する段階の後に、パワーリレー２０が接続された場合、コントローラ９０が第１コンバータ７０の故障を感知する段階（Ｓ３００）と、第１コンバータ７０が故障した場合、コントローラ９０が第１コンバータ７０の作動を停止するように制御する段階（Ｓ４００）とをさらに含むことができる。この場合には、第１コンバータ７０の作動を停止し、第２コンバータ８０で最小限の電源を電装負荷に供給して安全な場所へ車両をフェイルセーフ（ＦＡＩＬ−ＳＡＦＥ）制御することができる。
【００７２】
コントローラ９０がパワーリレー２０を接続または遮断する段階（Ｓ２００）では、コントローラ９０は、車両の始動状態に関係なく、第２コンバータ８０を作動し続けるように制御することができる。つまり、車両の始動状態がオン状態であるときとオフ状態であるときの両方とも、第２コンバータ８０を作動し続けるように制御することができる（図示せず）。
【００７３】
または、コントローラ９０がパワーリレー２０を接続または遮断する段階（Ｓ２００）の後に、車両の始動がオフ状態である場合、コントローラ９０は、電力貯蔵装置８１の充電状態を感知し（Ｓ５００）、感知した充電状態に基づいて第２コンバータ８０の作動を制御する段階（Ｓ６００）をさらに含むことができる。すなわち、図３に示した実施形態の電力貯蔵装置８１の充電状態を感知し（Ｓ５００）、感知した電力貯蔵装置８１の充電状態に応じて第２コンバータ８０を作動または停止するように制御することができる（Ｓ６００）。
【００７４】
つまり、電力貯蔵装置８１の充電状態を感知し（Ｓ５００）、電力貯蔵装置８１の充電量が所定の充電量以上である場合には、第２コンバータ８０の作動をオフにすることができ、電力貯蔵装置８１の充電量が所定の充電量未満である場合には、第２コンバータ８０を再び作動させて電力貯蔵装置８１を充電しながら電装負荷３０に電源を供給するように制御することができる。
【００７５】
また、コントローラ９０は、車両の始動がオフ状態である場合には、高電圧バッテリー１０の放電可能性を判断し、判断した放電可能性に基づいて補助リレー８２の作動を制御することができる。図４に示した実施形態の補助リレー８２をコントローラ９０が制御して、高電圧バッテリー１０の放電可能性が高い場合には補助リレー８２を遮断することができる。
【００７６】
つまり、高電圧バッテリー１０の充電量を監視したり車両の始動オフ持続時間を確認したりして高電圧バッテリー１０の放電可能性を判断することができ、これに基づいて高電圧バッテリー１０の放電可能性が高い場合には補助リレー８２を遮断するように制御することができる。
【００７７】
本発明の特定の実施形態について図示及び説明したが、以下の特許請求の範囲によって提供される本発明の技術的思想から外れない範囲内で、本発明に多様な改良及び変更を加え得るのは、当業分野における通常の知識を有する者にとっては自明である。
【符号の説明】
【００７８】
１０    高電圧バッテリー
２０    パワーリレー（ＰＲＡ）
３０    電装負荷
４０    コンバータ
５０    低電圧バッテリー
６０    モーター
６１    エンジン
７０    第１コンバータ
８０    第２コンバータ
８１    電力貯蔵装置
８２    補助リレー
９０    コントローラ
【図１】
2019162014.tif 000003
【図２】
2019162014.tif 000004
【図３】
2019162014.tif 000005
【図４】
2019162014.tif 000006
【図５】
2019162014.tif 000007